(57)【特許請求の範囲】
【請求項１】
本体ケースと、
前記本体ケースの上部外周にその上下方向に変位可能に設けられた硬質の外装部材と、
上部を前記外装部材の外周下部に係止された状態で、前記本体ケースの外周にその上下方向に変位可能に設けられた緩衝取付部材と、
前記外装部材の外周縁を覆う状態で、前記本体ケースの外周にその上下方向に変位可能に設けられた軟質の外装ケースと、
を備えていることを特徴とするケース構造。
【請求項２】
請求項１に記載のケース構造において、前記外装部材はその外周下部にフック部を有し、前記緩衝取付部材は、前記外装部材の前記フック部を係止される係止部と、前記外装部材が当接すると共に、前記本体ケースの外周にその上下方向に変位可能に配置された一対の緩衝部と、を有していることを特徴とするケース構造。
【請求項３】
請求項２に記載のケース構造において、前記本体ケースの外周部には、ねじ部材が螺着するねじ穴が前記緩衝取付部材の前記一対の緩衝部にそれぞれ対応して設けられており、前記一対の緩衝部には、前記ねじ部材が前記本体ケースの上下方向に相対的に移動可能に挿入するガイド孔が、前記本体ケースの前記ねじ穴にそれぞれ対応して設けられていることを特徴とするケース構造。
【請求項４】
請求項１〜請求項３のいずれかに記載のケース構造において、前記本体ケースの外周には、バンドが取り付けられるバンド取付部が設けられており、前記緩衝取付部材は、前記本体ケースの前記バンド取付部に設けられていることを特徴とするケース構造。
【請求項５】
請求項４に記載のケース構造において、前記バンド取付部は、前記緩衝取付部材の前記一対の緩衝部が対応する一対の取付突起部と、前記緩衝取付部材の前記一対の緩衝部の間に位置する前記係止部の下側に位置する保持突起部と、前記一対の取付突起部の下側に位置しかつ外部に向けて突出して設けられた下側当接部と、を有し、前記一対の取付突起部に前記ねじ穴がそれぞれ設けられていることを特徴とするケース構造。
【請求項６】
請求項５に記載のケース構造において、前記緩衝取付部材の前記一対の緩衝部それぞれは、前記バンド取付部の前記一対の取付突起部の外面に前記本体ケースの上下方向にスライド可能に配置されるスライド部と、前記外装部材が上方から当接すると共に、前記一対の取付突起部の上面に接離可能に対応する緩衝当接部と、を有し、前記スライド部に前記ガイド孔が前記ねじ穴に対応して設けられていることを特徴とするケース構造。
【請求項７】
請求項４〜請求項６のいずれかに記載のケース構造において、前記緩衝取付部材の前記一対の緩衝部の上端部とこれに対応する一対の取付突起部の上端部との間、および前記一対の緩衝部の下端部とこれに対応する前記バンド取付部の下側当接部との間、並びに前記緩衝取付部材の前記一対の緩衝部の間に位置する前記係止部の下端部とこれに対応する前記バンド取付部の前記保持突起部との間には、それぞれ隙間が設けられていることを特徴とするケース構造。
【請求項８】
請求項１〜請求項７のいずれかに記載のケース構造において、前記緩衝取付部材に設けられたガイド係止突起と、前記外装ケースに設けられて前記緩衝取付部材の前記ガイド係止突起が前記本体ケースの上下方向に変位可能に挿入するガイド係合孔と、を備えていることを特徴とするケース構造。
【請求項９】
請求項１〜請求項８のいずれかに記載されたケース構造を備えていることを特徴とする時計ケース。
【発明の詳細な説明】
【技術分野】
【０００１】
この発明は、時計や携帯電話機などの電子機器に用いられるケース構造およびそれを備えた時計ケースに関する。
【背景技術】
【０００２】
例えば、腕時計のケース構造においては、特許文献１に記載されているように、本体ケースと外装ケースとを備え、外装ケースが第１ベゼルと第２ベゼルとを有し、これら第１ベゼルと第２ベゼルとで本体ケースを覆って保護するように構成されたものが知られている。
【先行技術文献】
【特許文献】
【０００３】
【特許文献１】特開２０１０−３２４２４号公報
【０００４】
この場合、外装ケースの第１ベゼルは、軟質の合成樹脂からなり、装飾が施されて本体ケースの上部外周に配置されるように構成されている。第２ベゼルは、軟質の合成樹脂からなる弾性カバーであり、本体ケースの外周および第１ベゼルの下部外周に配置されるように構成されている。また、この第２ベゼルは、３時側と９時側とに位置する個所と本体ケースとの間に空間部を形成し、この空間部によって第２ベゼルの一部が弾性変形し易くなるように構成されている。
【発明の概要】
【発明が解決しようとする課題】
【０００５】
しかしながら、このような腕時計のケース構造では、第１ベゼルが軟質の合成樹脂で形成されていることにより、第１ベゼルの厚みを薄くすると、上方からの衝撃を十分に吸収できなくなるため、第１ベゼルの肉厚を、ある程度、厚く形成する必要がある。また、腕時計の外周側からの衝撃を吸収するためには、軟質の合成樹脂からなる第２ベゼルと本体ケースとの間に空間部を設ける必要があるほか、第２ベゼルの肉厚を厚くする必要があり、これらによって第２ベゼルの外形が大きくなる。このため、第１ベゼルおよび第２ベゼルの各肉厚が厚くなることにより、外装ケースの外形が大きくなり、腕時計ケース全体が大型化するという問題がある。
【０００６】
この発明が解決しようとする課題は、耐衝撃性を確保して、ケース全体の小型化を図ることができるケース構造およびそれを備えた時計ケースを提供することである。
【課題を解決するための手段】
【０００７】
この発明は、本体ケースと、前記本体ケースの上部外周にその上下方向に変位可能に設けられた硬質の外装部材と、上部を前記外装部材の外周下部に係止された状態で、前記本体ケースの外周にその上下方向に変位可能に設けられた緩衝取付部材と、前記外装部材の外周縁を覆う状態で、前記本体ケースの外周にその上下方向に変位可能に設けられた軟質の外装ケースと、を備えていることを特徴とするケース構造である。
【発明の効果】
【０００８】
この発明によれば、外装ケースが衝撃を受けた際に、その衝撃を軟質の合成樹脂からなる外装ケースによって緩和することができると共に、外装ケースが受けた衝撃が外装部材に伝わると、外装部材が押し下げられて緩衝取付部材を本体ケースに対して変位させることができる。これにより、外装ケースの弾力と緩衝取付部材の変位とによって衝撃を緩衝することができるので、耐衝撃性を確保することができると共に、ケース全体の小型化を図ることができる。
【図面の簡単な説明】
【０００９】
【図１】この発明を腕時計に適用した一実施形態を示した拡大正面図である。
【図２】図１に示された腕時計を下側から見た拡大斜視図である。
【図３】図１に示された腕時計のＡ−Ａ矢視における拡大断面図である。
【図４】図１に示された腕時計を分解して示した拡大斜視図である。
【図５】図１に示された腕時計ケースを示した拡大斜視図である。
【図６】図５に示された腕時計ケースから外装ケースを取り外した状態を示した拡大斜視図である。
【図７】図６に示された腕時計ケースにおける緩衝取付部材の一部を破断して示した拡大側面図である。
【図８】図４に示された腕時計ケースにおいて、本体ケースと緩衝取付部材とを分解して示した拡大斜視図である。
【発明を実施するための形態】
【００１０】
以下、図１〜図８を参照して、この発明を腕時計に適用した一実施形態について説明する。
この腕時計は、図１および図２に示すように、腕時計ケース１を備えている。この腕時計ケース１の１２時側および６時側には、ウレタン樹脂などの合成樹脂製の時計バンド２がそれぞれ取り付けられている。また、この腕時計ケース１の９時側には、竜頭などのスイッチ部３が設けられており、この腕時計ケース１の２時側、４時側、８時側、および１０時側に位置する各個所には、それぞれ押釦スイッチ４が設けられている。
【００１１】
この腕時計ケース１は、図３および図４に示すように、本体ケース５と、この本体ケース５の上部に配置される外装部材６と、本体ケース５の外周に配置されて外装部材６の外周縁を覆う外装ケース７と、を備えている。本体ケース５は、ＡＢＳ樹脂などの硬質の合成樹脂からなり、全体がほぼ筒形状に形成されている。この本体ケース５の上部に位置する内部には、図３に示すように、金属製の補強部材５ａが埋め込まれている。この本体ケース５の上部開口部には、時計ガラス８がパッキン８ａを介して取り付けられている。
【００１２】
また、この本体ケース５の下部には、図２および図３に示すように、裏蓋９が防水リング９ａを介してビス９ｂによって取り付けられている。さらに、この本体ケース５の内部には、図３に示すように、時計モジュール１０が設けられている。この時計モジュール１０は、指針１０ａを運針させて時刻を指示させる時計ムーブメントや、時刻などの情報を電気光学的に表示する表示部など、時計機能に必要な各種の部品（いずれも図示せず）を備えている。
【００１３】
外装部材６は、図１、図３および図４に示すように、ステンレスやチタン合金などの金属によって、全体がリング状に形成されている。すなわち、この外装部材６は、装飾部材であり、本体ケース５の上面に両面接着テープ１１によって接着される装飾リング部６ａと、本体ケース５の上部外周に配置される外周リング部６ｂと、を有している。
【００１４】
この場合、装飾リング部６ａは、図３に示すように、板状のリングであり、その内径が本体ケース５の上部に位置する内径よりも小さく形成されている。この装飾リング部６ａは、時計ガラス８の外周に位置する縁部を覆うように構成されている。また、外周リング部６ｂは、円筒状に形成され、その内径が本体ケース５の上部に位置する外径とほぼ同じ大きさに形成されている。これにより外装部材６は、本体ケース５の上面およびその上部外周を覆うように構成されている。
【００１５】
また、両面接着テープ１１は、クッション性を有するベースシートの上下面に接着層を設けたものであり、図３および図４に示すように、腕時計ケース１の１２時側と６時側とに位置する装飾リング部６ａの箇所を本体ケース５の上面に接着して、外装部材６を仮固定するように構成されている。すなわち、この両面接着テープ１１は、ベースシートがクッション性を有していることにより、装飾リング部６ａを本体ケース５の上面に弾力性をもって接着し、本体ケース５の円周方向に対する外装部材６の回転を規制するように構成されている。
【００１６】
外装ケース７は、図１〜図５に示すように、ウレタン樹脂などの弾力性を有する軟質の合成樹脂からなり、装飾リング部６ａの外周に位置する縁部および外周リング部６ｂの外周を覆った状態で、本体ケース１の外周に取り付けられるように構成されている。すなわち、この外装ケース７は、全体がほぼリング状に形成に形成されている。
【００１７】
この場合、外装ケース７は、図３および図４に示すように、その内周面における上部の内径が外装部材６の外周リング部６ｂの内径とほぼ同じで、内周面における中間部の内径が外周リング部６ｂの外径とほぼ同じで、内周面の下部の内径が本体ケース５の外径とほぼ同じ大きさで形成されている。これにより、外装ケース７は、外装部材６の装飾リング部６ａの外周縁を除いて、装飾リング部６ａのほぼ全域を上方に露出させた状態で、本体ケース５の外周に装着するように構成されている。
【００１８】
この外装ケース７の外周部には、図４および図５に示すように、外装ケース７を本体ケース５に取り付けるための複数の取付ビス１２がそれぞれ挿入する複数のビス挿入孔１２ａが設けられている。また、この外装ケース７の外周部には、スイッチ部３および複数の押釦スイッチ４が挿入する複数のスイッチ取付孔１３が設けられている。さらに、この外装ケース７の外周部における１２時側と６時側とには、時計バンド２の一端部２ａが挿入して配置される切欠き部１４がそれぞれ設けられている。
【００１９】
ところで、本体ケース５の１２時側と６時側とに位置する外周部には、図３〜図８に示すように、時計バンド２の一端部２ａが取り付けられるバンド取付部１５がそれぞれ設けられている。このバンド取付部１５には、外装部材６を係止する緩衝取付部材１６が、本体ケース５の外周の円周方向と直交する方向（図６では上下方向）に変位可能に設けられている。
【００２０】
この場合、バンド取付部１５は、図４および図８に示すように、本体ケース５の外周部に突出して設けられた一対の取付突起部１５ａと、これら一対の取付突起部１５ａ間における下部に設けられた保持突起部１５ｂと、を有している。一対の取付突起部１５ａには、ねじ部材１７が螺着するねじ穴１８がそれぞれ設けられている。これら一対の取付突起部１５ａの各上面は、その上方に位置する緩衝取付部材１６の後述する一対の緩衝部２２の上端部が対応する上側当接部１５ｃに形成されている。
【００２１】
保持突起部１５ｂは、図８に示すように、一対の取付突起部１５ａよりも本体ケース５の外部側に突出して設けられており、この保持突起部１５ｂの下面は、図３に示すように、ねじ部材１９が螺着するねじ穴２０が、内側から外側に向けて傾斜した状態で設けられている。また、この保持突起部１５ｂの両側下部には、図４および図８に示すように、下側当接部１５ｄが一対の取付突起部１５ａの各下部から外部に向けて突出して設けられている。
【００２２】
このバンド取付部１５に配置される緩衝取付部材１６は、ポリアミド系樹脂などの剛性の高い合成樹脂からなり、図４および図８に示すように、本体ケース５の外周面に配置されて外装部材６を係止する係止部２１と、この係止部２１の両側下部に設けられて一対の取付突起部１５ａに対応する一対の緩衝部２２と、これら一対の緩衝部２２間に位置する係止部２１の下部に設けられて保持突起部１５ｂの上側に配置される連結部２３と、を有している。
【００２３】
係止部２１は、図４および図８に示すように、本体ケース５の外周に配置される係止本体２１ａと、この係止本体２１ａの上部外周に設けられた係止突起部２１ｂと、を備えている。この係止突起部２１ｂは、本体ケース５の外部に向けて突出して設けられていることにより、図３に示すように、外装部材６に設けられたフック部６ｃを係止するように構成されている。
【００２４】
この場合、外装部材６のフック部６ｃは、図３に示すように、外周リング部６ｂにおける内周面の下部に、その内部側に向けて突出して設けられている。これにより、係止部２１は、その係止突起部２１ｂが外装部材６のフック部６ｃの上側に配置され、フック部６ｃが係止突起部２１ｂの下側に当接して係止されることにより、外装部材６が上方に抜け出さないように、緩衝取付部材１６に対する外装部材６の上限位置を規制するように構成されている。
【００２５】
また、一対の緩衝部２２それぞれは、図８に示すように、バンド取付部１５の取付突起部１５ａの外面にスライド可能に配置されて下端部が下側当接部１５ｄに接離可能に対応するスライド部２２ａと、取付突起部１５ａの上面に位置する上側当接部１５ｃに接離可能に対応し、かつ上側から外装部材６の外周リング部６ｂの下端部が当接する緩衝当接部２２ｂと、を有している。また、連結部２３の外面におけるほぼ中央部には、ガイド係止突起２５が本体ケース５の外部に向けて突出して設けられている。
【００２６】
ところで、緩衝取付部材１６の一対の緩衝部２２における各スライド部２２ａには、図４および図８に示すように、ねじ部材１７が挿入するガイド孔２４が、一対の取付突起部１５ａの各ねじ穴１８にそれぞれ対応して設けられている。これらガイド孔２４は、本体ケース５の円周方向に対して直交する方向（図８では上下方向）に沿ってねじ部材１７を相対的に移動可能にガイドする長孔に形成されている。
【００２７】
これにより、緩衝取付部材１６は、図４、図６および図８に示すように、ねじ部材１７が時計バンド２の一端部２ａに設けられたねじ挿入孔２６に挿入され、この挿入されたねじ部材１７が一対の緩衝部２２の各ガイド孔２４を通して一対の取付突起部１５ａの各ねじ穴１８に螺着した際に、一対の緩衝部２２の各緩衝当接部２２ｂ上に外装部材６の外周リング部６ｂの下端部が当接した状態で、バンド取付部１５に取り付けられるように構成されている。
【００２８】
また、この緩衝取付部材１６は、図３〜図６に示すように、ねじ部材１７によってバンド取付部１５に取り付けられた際に、ねじ部材１７が一対の緩衝部２２の各ガイド孔２４内を本体ケース５の円周方向に対して直交する方向（図６では上下方向）に相対的に移動するように構成されている。
【００２９】
このため、この緩衝取付部材１６における一対の緩衝部２２の各緩衝当接部２２ｂと、これに対応する取付突起部１５ａの上面に位置する上側当接部１５ｃとの間には、図７に示すように、第１の隙間Ｓ１が設けられている。また、一対の緩衝部２２の各下端部と、これに対応する下側当接部１５ｄとの間には、図３および図７に示すように、第２の隙間Ｓ２が設けられている。
【００３０】
さらに、この緩衝取付部材１６の一対の緩衝部２２間に位置する係止部２１の下部に設けられた連結部２３の下端部と、これに対応する保持突起部１５ｂの上面との間には、図７に示すように、第３の隙間Ｓ３が設けられている。この場合、これら第１〜第３の各隙間Ｓ１〜Ｓ３それぞれは、ほぼ同じ長さ（Ｓ１＝Ｓ２＝Ｓ３）に形成されている。
【００３１】
一方、外装ケース７の１２時側と６時側とに設けられた各切欠き部１４内には、図３〜図５に示すように、バンド取付部１５にそれぞれ配置された各緩衝取付部材１６の各連結部２３に対面して配置される連結取付部２７がそれぞれ設けられている。この連結取付部２７には、緩衝取付部材１６の連結部２３に設けられたガイド係止突起２５が挿入するガイド係合孔２８が設けられている。このガイド係合孔２８は、本体ケース５の円周方向に対して直交する方向（図４では上下方向）に沿ってガイド係止突起２５をガイドする長孔に形成されている。
【００３２】
これにより、外装ケース７は、図３〜図５に示すように、本体ケース５の外周に配置された緩衝取付部材１６が本体ケース５の円周方向に対して直交する方向（図５では上下方向）に変位する際に、緩衝取付部材１６の連結部２３に設けられたガイド係止突起２５が、連結取付部２７のガイド係合孔２８内を本体ケース５の円周方向に対して直交する方向に移動するように構成されている。
【００３３】
また、この外装ケース７は、図４および図５に示すように、緩衝取付部材１６の連結部２３に設けられたガイド係止突起２５が連結取付部２７のガイド係合孔２８に挿入した状態で、時計バンド２の一端部２ａによって押えられることにより、切欠き部１４の縁部が本体ケース５の外周からめくれないように構成されている。
【００３４】
また、時計バンド２の一端部２ａの内面には、図３および図４に示すように、バンド取付部１５の保持突起部１５ｂが嵌合する嵌合凹部３０と、バンド取付部１５の一対の取付突起部１５ａに配置された緩衝取付部材１６の一対の緩衝部２２を押える押え凹部３１と、が設けられている。また、この時計バンド２の一端部２ａには、ねじ部材１７が挿入する一対のねじ挿入孔２６が、バンド取付部１５の一対の取付突起部１５ａに設けられた各ねじ穴１８に対応して設けられている。
【００３５】
これら一対のねじ挿入孔２６それぞれは、図４に示すように、その内部に装飾ワッシャ１７ａが配置され、この装飾ワッシャ１７ａを通してねじ部材１７が挿入するように構成されている。また、この時計バンド２の一端部２ａの下部には、図２および図３に示すように、ねじ部材１９が挿入するねじ挿入孔３２が本体ケース５の外部側に向けて斜めに傾斜して設けられている。
【００３６】
これにより、時計バンド２の一端部２ａの下部は、図２および図３に示すように、その下側からねじ部材１９がねじ挿入孔３２に挿入され、この挿入されたねじ部材１９がねじ挿入孔３２を通して本体ケース５のバンド取付部１５の保持突起部１５ｂに設けられたねじ穴２０に螺合することにより、本体ケース５のバンド取付部１５に取り付けられるように構成されている。
【００３７】
次に、この腕時計の腕時計ケース１の作用について説明する。
この腕時計ケース１を組み立てる場合には、まず、本体ケース５に外装部材６を緩衝取付部材１６と共に取り付ける。このときには、外装部材６の装飾リング部６ａの下面に両面接着テープ１１を貼り付け、この外装部材６の外周リング部６ｂにおける内周面の下部に設けられたフック部６ｃに、緩衝取付部材１６の係止部２１の係止突起部２１ｂを係止させる。
【００３８】
この状態で、緩衝取付部材１６を本体ケース５のバンド取付部１５に配置すると共に、外装部材６を本体ケース５の上部に配置する。これにより、外装部材６の装飾リング部６ａが両面接着テープ１１によって本体ケース５の上端面に接着されて仮固定される。このときには、外装部材６のフック部６ｃが緩衝取付部材１６の係止部２１の係止突起部２１ｂに下側から当接して係止され、この状態で外装部材６が緩衝取付部材１６と共に本体ケース５上に配置される。
【００３９】
この状態では、外装部材６の装飾リング部６ａが、本体ケース５の上部開口部に取り付けられた時計ガラス８の外周に位置する縁部を覆い、外装部材６の外周リング部６ｂが本体ケース５の上部に位置する外周部に配置される。また、緩衝取付部材１６は、その一対の緩衝部２２がバンド取付部１５の一対の取付突起部１５ａに配置されて、各ガイド孔２４が一対の取付突起部１５ａの各ねじ穴１８に対応すると共に、連結部２３がバンド取付部１５の保持突起部１５ｂの上側に配置される。
【００４０】
この状態で、本体ケース５に外装ケース７を取り付ける。このときには、本体ケース５のバンド取付部１５に外装ケース７の切欠き部１４を対応させ、この状態で外装ケース７の連結取付部２７に設けられたガイド係合孔２８に、緩衝取付部材１６の連結部２３に設けられたガイド係止突起２５を挿入させて、本体ケース５の上方から外装ケース７を本体ケース５の外周に装着する。これにより、外装部材６の装飾リング部６ａの外周縁と外周リング部６ｂとが外装ケース７で覆われて押えられ、この状態で装飾リング部６ａの内周側が外装ケース７から上方に露出する。
【００４１】
また、このときには、外装ケース７に設けられた複数のスイッチ取付孔１３が本体ケース５のスイッチ部３および複数の押釦スイッチ４に対応するので、これら複数のスイッチ取付孔１３を通してスイッチ部３および複数の押釦スイッチ４を本体ケース５の外周部に取り付ける。この状態で、複数の取付ビス１２を外装ケース７の外周に設けられた複数のビス挿入孔１２ａに挿入させて本体ケース５の外周部に取り付ける。
【００４２】
これにより、外装ケース７が本体ケース５に取り付けられる。このときには、緩衝取付部材１６の係止部２１の係止突起部２１ｂが外装部材６のフック部６ｃを係止し、かつ外装部材６の外周リング部６ｂの下端部が緩衝取付部材１６の一対の緩衝部２２における各緩衝当接部２２ｂに当接された状態で、外装部材６の装飾リング部６ａが両面接着テープ１１によって本体ケース５上に接着されている。このため、緩衝取付部材１６が本体ケース５のバンド取付部１５に対して少し押し上げられた状態で配置される。
【００４３】
これにより、緩衝取付部材１６における一対の緩衝部２２の各緩衝当接部２２ｂと、これに対応する取付突起部１５ａの上面に位置する上側当接部１５ｃとの間に、第１の隙間Ｓ１が設けられる。また、一対の緩衝部２２の各下端部とこれに対応する下側当接部１５ｄとの間に、第２の隙間Ｓ２が設けられる。さらに、連結部２３の下端部とこれに対応する保持突起部１５ｂの上面との間に、第３の隙間Ｓ３が設けられる。
【００４４】
この状態で、時計バンド２の一端部２ａを本体ケース５のバンド取付部１５に取り付ける。このときには、外装ケース７の切欠き部１４に時計バンド２の一端部２ａを挿入させて、バンド取付部１５の保持突起部１５ｂを時計バンド２の一端部２ａの嵌合凹部３０に嵌合させると共に、バンド取付部１５の一対の取付突起部１５ａに配置された緩衝取付部材１６の一対の緩衝部２２を時計バンド２の一端部２ａの押え凹部３１に嵌め込んで押し付ける。
【００４５】
これにより、時計バンド２の一端部２ａに設けられた一対のねじ挿入孔２６が、緩衝取付部材１６の一対の緩衝部２２に設けられたガイド孔２４を通して、本体ケース５のバンド取付部１５に設けられた一対の取付突起部１５ａの各ねじ穴１８に対応する。また、時計バンド２の一端部２ａの下部に設けられたねじ挿入孔３２が、本体ケース５のバンド取付部１５の保持突起部１５ｂに設けられたねじ穴２０に対応する。
【００４６】
この状態で、時計バンド２の一端部２ａに設けられた一対のねじ挿入孔２６内に装飾ワッシャ１７ａをそれぞれ配置し、これら装飾ワッシャ１７ａに各ねじ部材１７をそれぞれ挿入させて各ねじ挿入孔２６から緩衝取付部材１６の各ガイド孔２４内にそれぞれ挿入させ、この挿入された各ねじ部材１７をバンド取付部１５の一対の取付突起部１５ａに設けられた各ねじ穴１８にそれぞれ螺着させる。
【００４７】
また、時計バンド２の一端部２ａの下部に設けられたねじ挿入孔３２にねじ部材１９を下側から挿入させ、この挿入されたねじ部材１９をバンド取付部１５の保持突起部１５ｂに設けられたねじ穴２０に螺着させる。これにより、時計バンド２の一端部２ａが本体ケース５のバンド取付部１５に取り付けられる。この状態では、緩衝取付部材１６が時計バンド２の一端部２ａによって覆われて隠される。
【００４８】
このときには、緩衝取付部材１６の連結部２３に設けられたガイド係止突起２５が、外装ケース７の連結取付部２７のガイド係合孔２８に挿入した状態で、時計バンド２の一端部２ａによって押えられることにより、外装ケース７の切欠き部１４の縁部が本体ケース５の外周に対してめくれることがない。このため、外装ケース７が本体ケース５に対して確実にかつ良好に取り付けられる。
【００４９】
このように時計バンド２が取り付けられた腕時計ケース１を腕に取り付けて使用しているときに外装ケース７を物にぶつけたり、あるいは腕時計ケース１を落下させたりして、外装ケース７が衝撃を受けた際には、その衝撃が外装ケース７の弾力によって緩和される。このとき、外装ケース７が受けた衝撃が外装部材６に伝わると、外装部材６が両面接着テープ１１を弾性変形させる。
【００５０】
このときには、外装部材６が押し下げられ、この押し下げられた外装部材６の外周リング部６ｂの下端部が、緩衝取付部材１６における一対の緩衝部２２の各緩衝当接部２２ｂに当接して押し下げる。このため、緩衝取付部材１６が本体ケース５の円周方向と直交する方向に押し下げられることにより、緩衝取付部材１６がバンド取付部１５に沿って下側に変位する。
【００５１】
この場合には、緩衝取付部材１６における一対の緩衝部２２の各緩衝当接部２２ｂと、これに対応する取付突起部１５ａの上面に位置する上側当接部１５ｃとの間に、第１の隙間Ｓ１が設けられており、また一対の緩衝部２２の各下端部とこれに対応する下側当接部１５ｄとの間に、第２の隙間Ｓ２が設けられている。さらに、連結部２３の下端部とこれに対応する保持突起部１５ｂの上面との間に、第３の隙間Ｓ３が設けられている。これにより、緩衝取付部材１６がバンド取付部１５に沿って下側に変位する。
【００５２】
このときには、時計バンド２の一対のねじ挿入孔２６を通してバンド取付部１５の一対の取付突起部１５ａに設けられた各ねじ穴１８にそれぞれ螺着した各ねじ部材１７が、緩衝取付部材１６の一対の緩衝部２２における各スライド部２２ａに設けられた各ガイド孔２４内を相対的に移動する。また、このときには、緩衝取付部材１６の連結部２３に設けられたガイド係止突起２５が、外装ケース７の連結取付部２７に設けられたガイド係合孔２８内を移動する。
【００５３】
これにより、緩衝取付部材１６がバンド取付部１５に沿って本体ケース５の円周方向と直交する方向における下側に変位することにより、外装ケース７が受けた衝撃が外装部材６に伝わっても、その衝撃が良好に緩衝される。このため、外装ケース７に加わった衝撃が外装ケース７の弾力と、両面接着テープ１１の弾力と、緩衝取付部材１６の変位とによって、確実にかつ良好に緩衝される。この後、緩衝取付部材１６と外装部材６とは、外装ケース７の弾力と両面接着テープ１１の弾力とによって元の位置に戻る。
【００５４】
このように、この腕時計ケース１によれば、本体ケース５と、この本体ケース５の上部外周に配置される金属製の外装部材６と、この外装部材６を係止した状態で、本体ケース５の外周にその円周方向と直交する方向である上下方向に変位可能に設けられた緩衝取付部材１６と、本体ケース５の外周に外装部材６の外周縁を覆って取り付けられた軟質の合成樹脂からなる外装ケース７と、を備えていることにより、耐衝撃性を確保して、腕時計ケース１全体の小型化を図ることができる。
【００５５】
すなわち、この腕時計ケース１では、外装ケース７が衝撃を受けた際に、その衝撃を軟質の合成樹脂からなる外装ケース７の弾力によって緩和することができると共に、この外装ケース７が受けた衝撃が外装部材６に伝わると、この外装部材６が押し下げられて緩衝取付部材１６を本体ケース５に対してその円周方向と直交する方向である上下方向に変位させることができる。これにより、外装ケース７の弾力と緩衝取付部材１６の変位とによって衝撃を緩衝することができるので、耐衝撃性を確保することができると共に、腕時計ケース１全体の小型化を図ることができる。
【００５６】
この場合、外装部材６は、金属製であることにより、外装部材６の肉厚を薄く形成することができ、また外装ケース７は、軟質の合成樹脂で形成されていることにより、この外装ケース７によって衝撃を緩和することができるが、この外装ケース７で衝撃を吸収しきれないときは、緩衝取付部材１６を押し下げて変位させることにより、衝撃を緩衝することができる。このため、外装ケース７の肉厚を薄く形成することができるので、腕時計ケース１全体の薄型化を図ることができると共に小型化を図ることができる。
【００５７】
また、この腕時計ケース１では、外装部材６がフック部６ｃを有し、緩衝取付部材１６が外装部材６のフック部６ｃを係止する係止部２１と、外装部材６の下端部が上方から当接した状態で、本体ケース５の外周にその円周方向と直交する方向に変位可能に配置された一対の緩衝部２２と、を有していることにより、緩衝取付部材１６をその一対の緩衝部２２によって本体ケース５の外周部に配置させた状態で、緩衝取付部材１６の係止部２１に外装部材６のフック部６ｃを係止させることができるので、外装部材６を本体ケース５の上面に確実にかつ良好に配置することができる。
【００５８】
この場合、本体ケース５の外周部には、ねじ部材１７が螺着するねじ穴１８が設けられており、緩衝取付部材１６には、ねじ部材１７が本体ケース５の外周の円周方向と直交する方向である上下方向に相対的に移動可能に挿入するガイド孔２４が、本体ケース５のねじ穴１８に対応して設けられていることにより、本体ケース５に対して緩衝取付部材１６を円滑にかつ良好に変位させることができる。
【００５９】
すなわち、外装ケース７が上方から衝撃を受け、その衝撃が外装部材６に伝わって外装部材６が押し下げられ、この押し下げられた外装部材６によって緩衝取付部材１６が押し下げられる際に、本体ケース５のねじ穴１８に螺着したねじ部材１７を緩衝取付部材１６のガイド孔２４が相対的にガイドして移動させることができるので、本体ケース５に対して緩衝取付部材１６を円滑にかつ良好に変位させることができると共に、衝撃を確実にかつ良好に緩衝することができる。
【００６０】
また、この腕時計ケース１では、本体ケース５の外周に時計バンド２の一端部２ａが取り付けられるバンド取付部１５が設けられており、このバンド取付部１５に緩衝取付部材１６が設けられていることにより、バンド取付部１５に取り付けられた時計バンド２の一端部２ａによって緩衝取付部材１６を覆い隠することができるので、外観的にもデザイン的にも好ましいものを提供することができる。
【００６１】
この場合、バンド取付部１５は、緩衝取付部材１６の一対の緩衝部２２が対応する一対の取付突起部１５ａと、一対の緩衝部２２間に位置する係止部２１の下部に設けられた連結部２３の下側に位置する保持突起部１５ｂと、一対の取付突起部１５ａの下側に位置しかつ外部に向けて突出して設けられ下側当接部１５ｄと、を有し、一対の取付突起部１５ａにねじ穴１８が設けられていることにより、バンド取付部１５に対して緩衝取付部材１６を本体ケース５の円周方向と直交する方向である上下方向に変位可能な状態で確実にかつ良好に配置することができる。
【００６２】
すなわち、緩衝取付部材１６の一対の緩衝部２２それぞれは、バンド取付部１５の一対の取付突起部１５ａの外面にスライド可能に配置されるスライド部２２ａと、外装部材６が上方から当接すると共に、一対の取付突起部１５ａの上面に接離可能に対応する緩衝当接部２２ｂと、を有し、スライド部２２ａにガイド孔２４がねじ穴１８に対応して設けられているので、スライド部２２ａのスライド孔２４を通してねじ部材１７を取付突起部１５ａのねじ穴１８に螺着することにより、スライド孔２４に沿ってねじ部材１７を相対的にガイドして移動させることができ、これによりバンド取付部１５に対して緩衝取付部材１６を円滑にかつ良好に変位させることができるので、衝撃を確実にかつ良好に緩衝することができる。
【００６３】
この場合、外装部材６は、本体ケース５の上面にクッション性を有する両面接着テープ１１によって接着されていることにより、外装部材６を本体ケース５に対してその円周方向に回転させないように仮固定させることができるほか、外装ケース７が上方から衝撃を受けた際に、その衝撃を両面接着テープ１１によっても緩衝することができると共に、この両面接着テープ１１の弾力によって外装部材６が押し上げられるので、これに伴って緩衝取付部材１６を本体ケース５に対して押し上げることができ、これにより本体ケース５に対して緩衝取付部材１６を浮き上がらせることができる。
【００６４】
このため、緩衝取付部材１６の一対の緩衝部２２の上端部に位置する緩衝当接部２２ｂと、これに対応するバンド取付部１５の一対の取付突起部１５ａの上端部に位置する上側当接部１５ｃとの間、および一対の緩衝部２２の下端部とこれに対応するバンド取付部１５の下側当接部１５ｄとの間、並びに緩衝取付部材１６の連結部２３とこれに対応するバンド取付部１５の保持突起部１５ｂとの間に、それぞれ第１〜第３の各隙間Ｓ１〜Ｓ３を設けることができ、これによりバンド取付部１５に対して緩衝取付部材１６を確実にかつ良好に変位させることができるので、衝撃を確実にかつ良好に緩衝することができる。
【００６５】
また、この腕時計ケース１では、緩衝取付部材１６に設けられたガイド係止突起２５と、外装ケース７に設けられて緩衝取付部材１６のガイド係止突起２５が本体ケース５の外周の円周方向と直交する方向に変位可能に挿入するガイド係合孔２８と、を備えていることにより、外装ケース７に切欠き部１４が設けられていても、本体ケース５に対する外装ケース７の切欠き部１４におけるめくれを確実に防ぐことができる。
【００６６】
この場合、バンド取付部１５に対して緩衝取付部材１６が変位する際には、ガイド係合孔２８に沿ってガイド係止突起２５を変位させることができるので、緩衝取付部材１６が変位しても、この緩衝取付部材１６の変位による影響を外装ケース７が受けないようにすることができる。
【００６７】
なお、上述した実施形態では、外装部材６を両面接着テープ１１によって本体ケース５の上面に接着して仮固定するように構成した場合について述べたが、必ずしも両面接着テープ１１を用いる必要はない。この場合には、外装ケース７の弾力によって外装部材６を本体ケース５に対して少し浮き上がらせた状態で配置するように構成すれは良い。
【００６８】
また、上述した実施形態では、緩衝取付部材１６を本体ケース５のバンド取付部１５に配置した場合について述べたが、必ずしもバンド取付部１５に配置する必要はなく、本体ケース５の外周であれば、何処に配置しても良い。
【００６９】
また、上述した実施形態では、時計バンド２がウレタン樹脂などの合成樹脂で形成されている場合について述べたが、必ずしも合成樹脂である必要はなく、金属駒を連結した構成の金属製のバンドであっても良い。
【００７０】
さらに、上述した実施形態では、腕時計ケース１に適用した場合について述べたが、必ずしも腕時計ケース１である必要はなく、例えばトラベルウオッチ、目覚まし時計、置き時計、掛け時計などの各種の時計ケースに適用することができる。また、時計ケースに限らず、腕に装着して使用する腕装着型の電子機器、あるいは携帯電話機や携帯情報端末機などの各種の電子機器の機器ケースにも適用することができる。
【００７１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７２】
（付記）
請求項１に記載の発明は、本体ケースと、前記本体ケースの上部外周に配置される硬質の外装部材と、前記外装部材を係止した状態で、前記本体ケースの外周にその円周方向と直交する方向に変位可能に設けられた緩衝取付部材と、前記本体ケースの外周に前記外装部材の外周縁を覆って取り付けられ、前記緩衝取付部材を保持する軟質の外装ケースと、を備えていることを特徴とするケース構造である。
【００７３】
請求項２に記載の発明は、請求項１に記載のケース構造において、前記外装部材はフック部を有し、前記緩衝取付部材は、前記外装部材の前記フック部を係止する係止部と、前記外装部材が当接すると共に、前記本体ケースの外周にその円周方向と直交する方向に変位可能に配置された一対の緩衝部と、を有していることを特徴とするケース構造である。
【００７４】
請求項３に記載の発明は、請求項２に記載のケース構造において、前記本体ケースの外周部には、ねじ部材が螺着するねじ穴が前記緩衝取付部材の前記一対の緩衝部にそれぞれ対応して設けられており、前記一対の緩衝部には、前記ねじ部材が前記本体ケースの外周の円周方向と直交する方向に相対的に移動可能に挿入するガイド孔が、前記本体ケースの前記ねじ穴にそれぞれ対応して設けられていることを特徴とするケース構造である。
【００７５】
請求項４に記載の発明は、請求項１〜請求項３のいずれかに記載のケース構造において、前記本体ケースの外周には、バンドが取り付けられるバンド取付部が設けられており、前記緩衝取付部材は、前記本体ケースの前記バンド取付部に設けられていることを特徴とするケース構造である。
【００７６】
請求項５に記載の発明は、請求項４に記載のケース構造において、前記バンド取付部は、前記緩衝取付部材の前記一対の緩衝部が対応する一対の取付突起部と、前記緩衝取付部材の前記一対の緩衝部の間に位置する前記係止部の下側に位置する保持突起部と、前記一対の取付突起部の下側に位置しかつ外部に向けて突出して設けられた下側当接部と、を有し、前記一対の取付突起部に前記ねじ穴がそれぞれ設けられていることを特徴とするケース構造である。
【００７７】
請求項６に記載の発明は、請求項５に記載のケース構造において、前記緩衝取付部材の前記一対の緩衝部それぞれは、前記バンド取付部の前記一対の取付突起部の外面にスライド可能に配置されるスライド部と、前記外装部材が上方から当接すると共に、前記一対の取付突起部の上面に接離可能に対応する緩衝当接部と、を有し、前記スライド部に前記ガイド孔が前記ねじ穴に対応して設けられていることを特徴とするケース構造である。
【００７８】
請求項７に記載の発明は、請求項４〜請求項６のいずれかに記載のケース構造において、前記緩衝取付部材の前記一対の緩衝部の上端部とこれに対応する一対の取付突起部の上端部との間、および前記一対の緩衝部の下端部とこれに対応する前記バンド取付部の下側当接部との間、並びに前記緩衝取付部材の前記一対の緩衝部の間に位置する前記係止部の下端部とこれに対応する前記バンド取付部の前記保持突起部との間には、それぞれ隙間が設けられていることを特徴とするケース構造である。
【００７９】
請求項８に記載の発明は、請求項１〜請求項７のいずれかに記載のケース構造において、前記緩衝取付部材に設けられたガイド係止突起と、前記外装ケースに設けられて前記緩衝取付部材の前記ガイド係止突起が前記本体ケースの外周の円周方向と直交する方向に変位可能に挿入するガイド係合孔と、を備えていることを特徴とするケース構造である。
【００８０】
請求項９に記載の発明は、請求項１〜請求項８のいずれかに記載されたケース構造を備えていることを特徴とする時計ケースである。
【符号の説明】
【００８１】
１  腕時計ケース
２  時計バンド
２ａ  一端部
５  本体ケース
６  外装部材
６ｃ  フック部
６ａ  装飾リング部
６ｂ  取付リング部
７  外装ケース
１１  両面接着テープ
１４  切欠き部
１５  バンド取付部
１５ａ  取付突起部
１５ｂ  保持突起部
１５ｃ  上側当接部
１５ｄ  下側当接部
１６  緩衝取付部材
１７  ねじ部材
１８  ねじ穴
２１  係止部
２２  緩衝部
２２ａ  スライド部
２２ｂ  緩衝当接部
２３  連結部
２４  ガイド孔
２５  ガイド係止突起
２８  ガイド係合孔
Ｓ１〜Ｓ３  第１〜第３の各隙間
【図１】
0005936153.tif 000002
【図２】
0005936153.tif 000003
【図３】
0005936153.tif 000004
【図４】
0005936153.tif 000005
【図５】
0005936153.tif 000006
【図６】
0005936153.tif 000007
【図７】
0005936153.tif 000008
【図８】
0005936153.tif 000009